(57)【要約】【課題】画像表示装置において画像のタイトル設定を簡便に実行することを可能とする。【解決手段】画像表示装置は、画像ファイルを取得する画像ファイル取得部と、画像ファイルに基づき画像を表示する画像表示部とを備える。また、画像表示装置は、画像ファイルから画像ファイルの撮影日を特定する撮影日特定情報を取得する撮影日特定情報取得部と、撮影日特定情報に基づき、ネットワークを介して所定の情報提供装置から、画像ファイルの撮影日に関連付けられた撮影日関連情報を取得する撮影日関連情報取得部と、撮影日関連情報を利用して、画像ファイルのタイトルを設定するタイトル設定部とを備える。【選択図】図９
2007251706.tif 000002
【特許請求の範囲】
【請求項１】
画像表示装置であって、
画像ファイルを取得する画像ファイル取得部と、
前記画像ファイルに基づき、画像を表示する画像表示部と、
前記画像ファイルから前記画像ファイルの撮影日を特定する撮影日特定情報を取得する撮影日特定情報取得部と、
前記撮影日特定情報に基づき、ネットワークを介して所定の情報提供装置から、前記画像ファイルの撮影日に関連付けられた撮影日関連情報を取得する撮影日関連情報取得部と、
前記撮影日関連情報を利用して、前記画像ファイルのタイトルを設定するタイトル設定部と、を備える、画像表示装置。
【請求項２】
請求項１記載の画像表示装置であって、さらに、
前記設定されたタイトルを前記画像ファイルと関連付けて所定の記憶領域に格納させる画像登録部を備える、画像表示装置。
【請求項３】
請求項１または請求項２のいずれかに記載の画像表示装置であって、
前記タイトル設定部は、前記撮影日関連情報をユーザに提示すると共に、前記撮影日関連情報の内のユーザにより指定された部分を前記画像ファイルのタイトルの少なくとも一部として採用することにより前記画像ファイルのタイトルを設定する、画像表示装置。
【請求項４】
請求項３記載の画像表示装置であって、
前記タイトル設定部は、前記撮影日特定情報により特定される前記画像ファイルの撮影日を前記画像ファイルのタイトルの少なくとも一部として採用することにより前記画像ファイルのタイトルを設定する、画像表示装置。
【請求項５】
請求項１ないし請求項４のいずれかに記載の画像表示装置であって、
前記撮影日関連情報は、前記画像表示装置のユーザにより生成された情報に基づき生成された情報である、画像表示装置。
【請求項６】
画像にタイトルを設定する方法であって、
（ａ）画像ファイルを取得する工程と、
（ｂ）前記画像ファイルに基づき、画像を表示する工程と、
（ｃ）前記画像ファイルから前記画像ファイルの撮影日を特定する撮影日特定情報を取得する工程と、
（ｄ）前記撮影日特定情報に基づき、ネットワークを介して所定の情報提供装置から、前記画像ファイルの撮影日に関連付けられた撮影日関連情報を取得する工程と、
（ｅ）前記撮影日関連情報を利用して、前記画像ファイルのタイトルを設定する工程と、を備える、方法。
【請求項７】
画像表示システムであって、
画像ファイルを取得する画像ファイル取得部と、
前記画像ファイルに基づき、画像を表示する画像表示部と、
前記画像ファイルから前記画像ファイルの撮影日を特定する撮影日特定情報を取得する撮影日特定情報取得部と、
前記撮影日特定情報に基づき、ネットワークを介して所定の情報提供装置から、前記画像ファイルの撮影日に関連付けられた撮影日関連情報を取得する撮影日関連情報取得部と、
前記撮影日関連情報を利用して、前記画像ファイルのタイトルを設定するタイトル設定部と、
前記画像ファイルを前記設定されたタイトルと関連付けて所定の記憶領域に格納する画像登録部と、を備える、画像表示システム。
【発明の詳細な説明】
【技術分野】
【０００１】
本発明は、画像にタイトルを設定するための技術に関する。
【背景技術】
【０００２】
近年、撮像素子を用いて被写体を撮影することにより被写体の画像を表す画像ファイルを生成する画像生成装置としてのデジタルスチルカメラ（以下「ＤＳＣ」とも呼ぶ）が広く普及している。
【０００３】
ＤＳＣ等の画像生成装置により生成された時点の画像ファイルは、画像の内容を特定可能な情報を有していない。例えば、画像ファイルのファイル名は、画像の内容を特定可能なものとはなっていない。そのため、一般に、ユーザは、画像ファイルを管理するために、画像の内容を特定可能なタイトルを画像ファイルに対して設定する。例えば、ユーザは、画像ファイルを画像生成装置からパーソナルコンピュータ（以下「ＰＣ」とも呼ぶ）に転送し、画像ファイルのファイル名を画像のタイトルを表す名前に変更することにより画像のタイトル設定を行う。
【０００４】
一方、近年、画像生成装置により生成された画像を表示可能なＰＣ以外の画像表示装置が開発されている（例えば特許文献１）。特許文献１には、画像表示装置として機能するデジタルテレビ（以下「ＤＴＶ」とも呼ぶ）が開示されている。このＤＴＶは、カードスロットと画像表示用アプリケーションプログラムとを備えており、カードスロットに挿入されたメモリカードに格納された画像ファイルに基づき、画面上に画像を表示することができる。このようなＤＴＶを用いることにより、ユーザは、より手軽に画像を閲覧することが可能となる。
【０００５】
【特許文献１】特開２００２−１３５６７６
【発明の開示】
【発明が解決しようとする課題】
【０００６】
一般に、画像表示装置としてのＤＴＶは、ＰＣにおけるキーボードのような文字入力デバイスを有していない。そのため、ＤＴＶにおいて、画像管理のための画像タイトル設定を実現するためには、ユーザに対し、より煩雑な操作を強いることとなるという問題があった。
【０００７】
なお、このような問題は、ＤＴＶにおける画像のタイトル設定に限らず、画像表示装置において画像のタイトル設定を行う場合に共通の問題であった。
【０００８】
本発明は、上述した従来の課題を解決するためになされたものであり、画像表示装置において画像のタイトル設定を簡便に実行することを可能とする技術を提供することを目的とする。
【課題を解決するための手段】
【０００９】
上記課題の少なくとも一部を解決するために、本発明の画像表示装置は、
画像ファイルを取得する画像ファイル取得部と、
前記画像ファイルに基づき、画像を表示する画像表示部と、
前記画像ファイルから前記画像ファイルの撮影日を特定する撮影日特定情報を取得する撮影日特定情報取得部と、
前記撮影日特定情報に基づき、ネットワークを介して所定の情報提供装置から、前記画像ファイルの撮影日に関連付けられた撮影日関連情報を取得する撮影日関連情報取得部と、
前記撮影日関連情報を利用して、前記画像ファイルのタイトルを設定するタイトル設定部と、を備える。
【００１０】
この画像表示装置では、画像ファイルが取得され、画像が表示される。また、画像ファイルから画像ファイルの撮影日を特定する撮影日特定情報が取得され、撮影日特定情報に基づき、ネットワークを介して所定の情報提供装置から、画像ファイルの撮影日に関連付けられた撮影日関連情報が取得される。そして、撮影日関連情報を利用して、画像ファイルのタイトルが設定される。そのため、この画像表示装置では、画像のタイトル設定の際の文字入力の操作を減らすことができ、画像のタイトル設定を簡便に実行することができる。
【００１１】
上記画像表示装置において、さらに、
前記設定されたタイトルを前記画像ファイルと関連付けて所定の記憶領域に格納させる画像登録部を備えるとしてもよい。
【００１２】
このようにすれば、タイトルが画像ファイルと関連付けられて格納されるため、画像の管理を容易に行うことができる。なお、格納に用いられる所定の記憶領域は、画像表示装置内に含まれる記憶領域であるとしてもよいし、画像表示装置とは独立した記憶領域であるとしてもよい。
【００１３】
また、上記画像表示装置において、
前記タイトル設定部は、前記撮影日関連情報をユーザに提示すると共に、前記撮影日関連情報の内のユーザにより指定された部分を前記画像ファイルのタイトルの少なくとも一部として採用することにより前記画像ファイルのタイトルを設定するとしてもよい。
【００１４】
このようにすれば、撮影日関連情報を利用して、画像ファイルのタイトルを適切に設定することができる。
【００１５】
また、上記画像表示装置において、
前記タイトル設定部は、前記撮影日特定情報により特定される前記画像ファイルの撮影日を前記画像ファイルのタイトルの少なくとも一部として採用することにより前記画像ファイルのタイトルを設定するとしてもよい。
【００１６】
このようにすれば、画像の検索が容易となるタイトルを簡便に設定することができる。
【００１７】
また、上記画像表示装置において、
前記撮影日関連情報は、前記画像表示装置のユーザにより生成された情報に基づき生成された情報であるとしてもよい。
【００１８】
このようにすれば、撮影日関連情報が画像のタイトル設定に利用できる単語を含む可能性を高めることができ、より容易に、かつ、より適切に、画像のタイトル設定を実行することができる。
【００１９】
なお、本発明は、種々の態様で実現することが可能であり、例えば、画像表示方法および装置もしくはシステム、画像管理方法および装置もしくはシステム、画像タイトル設定方法および装置もしくはシステム、これらの方法または装置の機能を実現するためのコンピュータプログラム、そのコンピュータプログラムを記録した記録媒体、そのコンピュータプログラムを含み搬送波内に具現化されたデータ信号、等の形態で実現することができる。
【発明を実施するための最良の形態】
【００２０】
次に、本発明の実施の形態を実施例に基づいて以下の順序で説明する。
Ａ．実施例：
Ａ−１．ネットワークシステムの構成：
Ａ−２．画像管理処理：
Ｂ．変形例：
【００２１】
Ａ．実施例：
Ａ−１．ネットワークシステムの構成：
図１は、本発明の実施例としてのデジタルテレビ１００を含むネットワークシステム１０の構成を概略的に示す説明図である。このネットワークシステム１０は、画像表示装置として機能するデジタルテレビ（以下「ＤＴＶ」とも呼ぶ）１００と、ＤＬＮＡサーバ３００と、ＷＥＢサーバ４００と、を備えている。ネットワークシステム１０では、ＤＴＶ１００およびＤＬＮＡサーバ３００は、家庭内のネットワーク（例えばＬＡＮ）に属している。一方、ＷＥＢサーバ４００は、外部のネットワーク上に存在し、インターネットを介してＤＴＶ１００との間でアクセス可能となっている。なお、ＬＡＮは、ＩＥＥＥ８０２．３のような有線ネットワークでも、ＩＥＥＥ８０２．１１ｂ／ｇ／ａなどの無線ネットワークでもよい。
【００２２】
ＤＴＶ１００は、テレビ放送を受信・再生するテレビ受像機であると共に、ＤＳＣ（デジタルスチルカメラ）といった画像生成装置により生成された画像を表示する画像表示装置としての機能を有している。また、ＤＴＶ１００は、ＤＬＮＡ（Ｄｉｇｉｔａｌ  Ｌｉｖｉｎｇ  Ｎｅｔｗｏｒｋ  Ａｌｌａｉａｎｃｅ）の発行するガイドライン（ＤＬＮＡガイドライン）に対応したネットワーク装置としての機能を有している。ここで、ＤＬＮＡは、家庭内ネットワークを介してパソコンやデジタル家電等を相互接続する仕様を策定するために設立された業界団体である。ＤＬＮＡガイドラインに対応したネットワーク装置間では、ＨＴＴＰやＵＰｎＰ等の所定のプロトコルに従って、情報の送受信が可能である。ＤＴＶ１００は、ＤＬＮＡにおけるＤＭＰ（Ｄｉｇｉｔａｌ  Ｍｅｄｉａ  Ｐｌａｙｅｒ）として機能し、ＤＭＳ（Ｄｉｇｉｔａｌ  Ｍｅｄｉａ  Ｓｅｒｖｅｒ）の提供するコンテンツを利用する。
【００２３】
ＤＴＶ１００は、ＣＰＵ１１０と、表示部１２０と、カードインターフェイス（カードＩ／Ｆ）１３０と、ネットワークインターフェイス（ネットワークＩ／Ｆ）１４０と、指示入力部１５０と、ＲＯＭやＲＡＭ等の内部メモリ１６０と、を備えている。ＤＴＶ１００は、さらに、ハードディスクドライブ等の外部記憶装置を備えるとしてもよい。
【００２４】
ＤＴＶ１００の表示部１２０は、テレビ画像や写真画像を表示するためのディスプレイモジュールであり、例えば、液晶パネルやＰＤＰパネル、リアプロジェクタ等を用いて構成されている。ネットワークインターフェイス１４０は、ネットワーク上の他の装置との間で通信を行うためのインターフェイスである。指示入力部１５０は、ユーザの操作するリモコンＲＣからの信号を入力するためのインターフェイスである。カードインターフェイス１３０は、カードスロット１３２に挿入されたメモリカードＭＣとの間でデータのやり取りを行うためのインターフェイスである。
【００２５】
なお、本実施例では、メモリカードＭＣに画像ファイルＩＦと単語ファイルＷＦとが格納されている。画像ファイルＩＦは、画像生成装置により生成されたＥｘｉｆ形式のファイルであり、写真画像を表す画像データと、画像の撮影日を特定する撮影日情報を含む属性情報とにより構成されている。画像ファイルＩＦには、また、サムネイル画像を表すサムネイル画像データが含まれている。また、単語ファイルＷＦは、後述する画像管理処理において使用されるキーワードを表すファイルである。単語ファイルＷＦの詳細については、後に、画像管理処理の説明に併せて説明する。
【００２６】
ＤＴＶ１００の内部メモリ１６０には、ネットワーク制御部２２２と、画像管理処理部２１０と、の機能を有するコンピュータプログラムが格納されている。各部の機能は、ＣＰＵ１１０が各コンピュータプログラムを実行することによって実現される。
【００２７】
ネットワーク制御部２２２は、ネットワークインターフェイス１４０を介して、ＨＴＴＰやＵＰｎＰ等の所定のプロトコルに従い、ネットワークシステム１０上の他の装置との間で、メッセージやデータの送受信を行う機能を有する。画像管理処理部２１０は、画像ファイルＩＦを管理するための機能、具体的には後述の画像管理処理の各ステップを実行するための機能を有する。画像管理処理部２１０は、モジュールとして、画像表示処理部２１２と、属性情報読み出し部２１４と、タイトル設定部２１６と、を含んでいる。画像管理処理部２１０に含まれる各モジュールの有する機能については、後述の画像管理処理の説明に併せて説明する。
【００２８】
ＤＬＮＡサーバ３００は、ＤＴＶ１００と同様に、ＤＬＮＡガイドラインに対応したネットワーク装置としての機能を有している。ＤＬＮＡサーバ３００は、ＤＬＮＡにおけるＤＭＳ（Ｄｉｇｉｔａｌ  Ｍｅｄｉａ  Ｓｅｒｖｅｒ）として機能し、ＤＭＰ（Ｄｉｇｉｔａｌ  Ｍｅｄｉａ  Ｐｌａｙｅｒ）として機能するＤＴＶ１００に対し、画像管理データベースのサービスを提供する。
【００２９】
ＤＬＮＡサーバ３００は、ＣＰＵ３１０と、ＲＯＭやＲＡＭ等の内部メモリ３２０と、ハードディスクドライブ等の外部記憶装置３３０と、ネットワークインターフェイス（ネットワークＩ／Ｆ）３４０と、を備えている。
【００３０】
ＤＬＮＡサーバ３００のネットワークインターフェイス３４０は、ネットワーク上の他の装置との間で通信を行うためのインターフェイスである。
【００３１】
ＤＬＮＡサーバ３００の内部メモリ３２０には、ネットワーク制御部３２２と、画像管理ＤＢＭＳ３２４と、の機能を有するコンピュータプログラムが格納されている。各部の機能は、ＣＰＵ３１０が各コンピュータプログラムを実行することによって実現される。
【００３２】
ネットワーク制御部３２２は、ネットワークインターフェイス３４０を介して、ネットワークシステム１０上の他の装置との間で、メッセージやデータの送受信を行う機能を有する。また、画像管理ＤＢＭＳ３２４は、画像管理データベースを運用する機能を有する。
【００３３】
ＤＬＮＡサーバ３００の外部記憶装置３３０には、上述のメモリカードＭＣに格納された単語ファイルＷＦと同様の単語ファイルＷＦが格納されている。また、外部記憶装置３３０には、後述の画像管理処理に伴い、画像ファイルＩＦが格納される。
【００３４】
ＷＥＢサーバ４００は、文書や画像等のデータを蓄積し、蓄積したデータをインターネットを介してクライアントに提供するサーバである。本実施例では、ＷＥＢサーバ４００は、ＤＴＶ１００のユーザが利用するＷｅｂｌｏｇサービス（以下「ブログサービス」とも呼ぶ）を提供するサイトを運用するサーバである。
【００３５】
ＷＥＢサーバ４００は、ＣＰＵ４１０と、ＲＯＭやＲＡＭ等の内部メモリ４２０と、ハードディスクドライブ等の外部記憶装置４３０と、ネットワークインターフェイス（ネットワークＩ／Ｆ）４４０と、を備えている。
【００３６】
ＷＥＢサーバ４００のネットワークインターフェイス４４０は、ネットワーク上の他の装置との間で通信を行うためのインターフェイスである。
【００３７】
ＷＥＢサーバ４００の内部メモリ４２０には、ネットワーク制御部４２２と、サイト管理部４２４と、の機能を有するコンピュータプログラムが格納されている。各部の機能は、ＣＰＵ４１０が各コンピュータプログラムを実行することによって実現される。
【００３８】
ネットワーク制御部４２２は、ネットワークインターフェイス４４０を介して、ネットワークシステム１０上の他の装置との間で、メッセージやデータの送受信を行う機能を有する。また、サイト管理部４２４は、ブログサービスを提供するサイトを運用する機能を有する。
【００３９】
ＷＥＢサーバ４００の外部記憶装置４３０には、ＲＳＳ（Ｒｉｃｈ  Ｓｉｔｅ  Ｓｕｍｍａｒｙ）データＲＤが格納されている。ここで、ＲＳＳデータＲＤは、ＷＥＢサイトの更新日時や見出し、要約等の更新情報を構造化して記述するＸＭＬベースのデータである。ＲＳＳデータＲＤは、サイトの更新が行われる度に、サイト管理部４２４によって生成され、外部記憶装置４３０に格納される。例えば、本実施例では、ＤＴＶ１００のユーザが、図示しないＰＣ（パーソナルコンピュータ）により自身のプログサイトの更新を行うと、ブログサイトの更新日時や更新内容の要約を表すＲＳＳデータＲＤが生成され、外部記憶装置４３０に格納される。
【００４０】
Ａ−２．画像管理処理：
図２および図３は、本実施例のネットワークシステム１０における画像管理処理の流れを示すフローチャートである。本実施例の画像管理処理は、デジタルテレビ１００（図１）において、カードスロット１３２に挿入されたメモリカードＭＣ内の画像ファイルＩＦに基づき画像表示（画像閲覧）を行うと共に、画像のタイトル設定を行い、画像とタイトルとを関連付けてＤＬＮＡサーバ３００に登録する処理である。
【００４１】
なお、画像管理処理が開始される前に、ネットワークシステム１０（図１）において、ＤＴＶ１００とＤＬＮＡサーバ３００とは、ＤＬＮＡの仕様に従ってＬＡＮに参加し、互いの存在およびアドレスを認識しているものとする。
【００４２】
ステップＳ１１０（図２）では、ＤＴＶ１００の画像表示処理部２１２（図１）が、メモリカードＭＣ内に格納された画像ファイルＩＦを取得し、画像ファイルＩＦに基づき表示部１２０上に画像を表示させる。図４は、表示部１２０に表示された画像表示画面の一例を示す説明図である。本実施例では、図４に示すように、メモリカードＭＣに格納された複数の画像が画像表示画面に一覧表示される。メモリカードＭＣに１つの画像表示画面に表示可能な画像数より多い数の画像ファイルＩＦが格納されている場合には、ページ切り替えにより所望の画像が表示可能となる。画像の表示には、画像ファイルＩＦに含まれるサムネイル画像データが用いられる。なお、表示部１２０上における画像の表示は、画像表示画面に１つの画像のみが表示されるように行われるとしてもよい。また、サムネイル画像ではなく、画像データ自体に基づき画像の表示が行われるとしてもよい。
【００４３】
ステップＳ１２０（図２）では、ＤＴＶ１００の画像管理処理部２１０（図１）が、指示入力部１５０を介して、ユーザによるタイトル設定開始指示を入力する。ユーザによるタイトル設定開始指示は、ユーザがリモコンＲＣを操作して、画像表示画面（図４）上でタイトル設定の対象となる画像を選択すると共に「タイトル設定」ボタンを選択することにより行われる。
【００４４】
ステップＳ１３０（図２）では、ＤＴＶ１００の属性情報読み出し部２１４（図１）が、ステップＳ１２０で選択された画像に対応した画像ファイルＩＦの属性情報から、画像の撮影日を特定するための撮影日情報を取得する。
【００４５】
ステップＳ１４０（図２）では、ＤＴＶ１００のタイトル設定部２１６（図１）が、表示部１２０上にタイトル設定画面（ＵＩ）を表示する。図５は、タイトル設定画面の一例を示す説明図である。図５に示すように、タイトル設定画面中には、ステップＳ１２０において選択された画像が表示される。さらに、タイトル設定画面には、タイトルの候補を表示するためのタイトル候補スペースＴＳと、タイトル設定に用いるキーワードを表示するためのキーワードスペースＫＳと、が含まれている。
【００４６】
タイトル設定画面（図５）に含まれるキーワードスペースＫＳは、３列構成となっている。キーワードスペースＫＳの３列は、それぞれ、「いつ」と「だれが」と「どうした」とに対応している。「いつ」に対応した列は、時に関するキーワードを表示するためのスペースである。「だれが」に対応した列は、主体に関するキーワードを表示するためのスペースである。「どうした」に対応した列は、行為や状態等に関するキーワードを表示するためのスペースである。なお、ステップＳ１４０の段階では、キーワードスペースＫＳには、キーワードが表示されていないものとする。
【００４７】
ステップＳ１５０（図２）では、ＤＴＶ１００のタイトル設定部２１６（図１）が、キーワード表示処理を行う。キーワード表示処理は、タイトル設定画面（図５）に含まれるキーワードスペースＫＳにキーワードを表示させる処理である。タイトル設定部２１６は、種々のデータを用いてキーワード表示処理を行う。
【００４８】
まず、第１に、タイトル設定部２１６は、ステップＳ１３０において画像ファイルＩＦから取得した撮影日情報に基づき、キーワードスペースＫＳの「いつ」列に画像の撮影日を表示させる。また、タイトル設定部２１６は、ＤＴＶ１００の有するタイマー（不図示）から本日の日付を表す情報を取得し、キーワードスペースＫＳの「いつ」列に本日の日付を表示させてもよい。また、タイトル設定部２１６は、撮影日や本日の年のみを表示させてもよい。図５には、このようにしてキーワードスペースＫＳの「いつ」列に日付や年が表示された様子を示している。
【００４９】
第２に、タイトル設定部２１６は、ＤＴＶ１００の内部メモリ１６０に格納された単語ファイル（不図示）に基づき、キーワードを表示させる。本実施例では、ＤＴＶ１００の内部メモリ１６０に、ユーザやその家族等を特定するキーワードを含む単語ファイルが格納されている。この単語ファイルは、ＢＴＯ（Ｂｕｉｌｔ  Ｔｏ  Ｏｒｄｅｒ）でのＤＴＶ１００の生産の際に、ＤＴＶ１００内に格納される。タイトル設定部２１６は、この単語ファイルを用いることによって、キーワードスペースＫＳの「だれが」列に、ユーザやその家族等を特定するキーワードを表示させることが可能となる。図５には、このようにしてユーザ等の名前がキーワードスペースＫＳの「だれが」列に表示されている例を示している。
【００５０】
また、ＤＴＶ１００の生産の際に格納される単語ファイルには、画像のタイトルに使用可能な典型的な行為や状態を表すキーワードが含まれている。タイトル設定部２１６は、このようなキーワードをキーワードスペースＫＳの「どうした」列に表示させる。図５には、キーワードスペースＫＳの「どうした」列に、典型的な行為や状態を表すキーワードとして「旅行」や「キャンプ」等の単語が表示されている例を示している。
【００５１】
タイトル設定部２１６によるキーワード表示処理には、他にも種々のデータを用いることが可能である。例えば、タイトル設定部２１６によるキーワード表示処理に、メモリカードＭＣに格納された単語ファイルＷＦやＤＬＮＡサーバ３００の外部記憶装置３３０に格納された単語ファイルＷＦが用いられるとしてもよい。
【００５２】
また、キーワードスペースＫＳの各列に表示されるキーワードとしては、図５に示した例以外にも、種々のキーワードを採用可能である。例えば、キーワードスペースＫＳの「いつ」列に表示させるキーワードとして、「昨日」や「先週」等を用いてもよい。なお、別途設けられた日付入力ＵＩによりユーザが指定した日付を表示させるとしてもよい。また、キーワードスペースＫＳの「だれが」列に表示させるキーワードとして、「キャンプ」、「山」、「川」、「温泉」といった人物を表す単語以外の単語を用いてもよい。
【００５３】
なお、キーワード表示処理に複数の単語ファイルＷＦが使用される場合には、すべての単語ファイルＷＦの内容がマージされた単語ファイルＷＦが所定の記憶領域（例えばメモリカードＭＣ）に格納され、当該単語ファイルＷＦに基づきキーワード表示処理が行われるとしてもよい。
【００５４】
また、キーワードスペースＫＳの各列に表示されるキーワードは、互いに関連付けがなされており、当該関連付けに従ってキーワード表示処理が行われるとしてもよい。例えば、キーワードスペースＫＳの「だれが」列に表示された特定の人物の名前がユーザにより選択されると、当該人物に関連付けられたキーワードが「どうした」列に表示されるとしてもよい。
【００５５】
本実施例では、後述するように、ＲＳＳデータＲＤを参照したキーワードスペースＫＳへのキーワードの追加が可能であるが、ユーザの所望するキーワードが既に表示されている場合にはキーワードの追加を行う必要はない。このような場合には、ＲＳＳデータＲＤの参照は行われず（ステップＳ１６０：Ｎｏ）、処理はステップＳ２２０（図３）に進む。ステップＳ２２０では、ＤＴＶ１００のタイトル設定部２１６（図１）が、指示入力部１５０を介して、ユーザによるキーワード選択を入力する。ユーザによるキーワード選択は、ユーザがリモコンＲＣを操作して、タイトル設定画面（図５）上でキーワードスペースＫＳ内に表示されたキーワードを選択することにより行われる。図６は、タイトル設定画面において、「いつ」列と「だれが」列に表示されたキーワードが選択されている様子を示している。なお、ユーザによるキーワードの選択のために、リモコンＲＣの３列構成のテンキーの各列に、キーワードスペースＫＳの各列が対応付けられていてもよいし、リモコンＲＣに専用のハードウェアボタンが設けられていてもよい。
【００５６】
ステップＳ２３０（図３）では、ＤＴＶ１００のタイトル設定部２１６（図１）が、ステップＳ２２０のキーワード選択入力に応じて、タイトル候補を表示部１２０に表示させる。例えば、図６に示すように、タイトル設定画面において、キーワードスペースＫＳの「いつ」列に表示された撮影日を示すキーワードが選択されると、当該撮影日が、タイトル候補スペースＴＳに表示される。同様に、キーワードスペースＫＳの「だれが」列に表示された人物の名前を示すキーワードが選択されると、当該名前が、タイトル候補スペースＴＳに、撮影日に続けて表示される。
【００５７】
一方、ユーザの所望するキーワードがキーワードスペースＫＳに表示されていない場合には、ＲＳＳデータＲＤを参照したキーワードの追加が可能である。ＲＳＳデータＲＤの参照を行う場合には（ステップＳ１６０：Ｙｅｓ）、処理はステップＳ１７０（図２）に進む。ステップＳ１７０では、ＤＴＶ１００のタイトル設定部２１６（図１）が、ＷＥＢサーバ４００に対してＲＳＳデータＲＤを要求する。タイトル設定部２１６によるＲＳＳデータＲＤの要求は、ユーザによるタイトル設定画面（図６）上の「ＲＳＳ参照」ボタンの選択に応じて実行される。
【００５８】
ここで、ＲＳＳデータＲＤは、上述したように、ＤＴＶ１００のユーザが管理するブログサイトに関する更新日時や要約を含む更新情報である。ＷＥＢサーバ４００に格納されたＲＳＳデータＲＤのＵＲＬは、ユーザにより、予めＤＴＶ１００上において登録されている。タイトル設定部２１６は、ネットワーク制御部２２２による制御の下、予め登録されたＲＳＳデータＲＤのＵＲＬを指定して、ＲＳＳデータＲＤの要求を行う。
【００５９】
ステップＳ１８０（図２）では、ＷＥＢサーバ４００のサイト管理部４２４（図１）が、ステップＳ１７０の要求に応じて、ＲＳＳデータＲＤを応答する。
【００６０】
ステップＳ１９０（図２）では、ＤＴＶ１００のタイトル設定部２１６（図１）が、ＷＥＢサーバ４００から受領したＲＳＳデータＲＤの中から、画像の撮影日と同じ日の更新情報を検索する。この検索は、ＲＳＳデータＲＤに含まれるサイト更新日と、ステップＳ１３０で取得した画像の撮影日と、を比較することにより行われる。画像の撮影日と同じ日の更新情報を表すＲＳＳデータＲＤが検出された場合には、検出されたＲＳＳデータＲＤに基づき、タイトル設定画面上に、ユーザのブログサイトの要約を表示する。図７は、タイトル設定画面の更新情報スペースＵＳに、ＲＳＳデータＲＤに基づきユーザのブログサイトの要約が表示されている様子を示している。
【００６１】
タイトル設定画面の更新情報スペースＵＳ（図７）に表示されたブログサイトの要約中に、ユーザがキーワードとして使用を希望する単語が含まれていない場合には、ユーザによる単語の切り出し指示は行われず（ステップＳ２００：Ｎｏ）、処理はステップＳ２２０に進む。
【００６２】
一方、タイトル設定画面の更新情報スペースＵＳ（図７）に表示されたブログサイトの要約中に、ユーザがキーワードとして使用を希望する単語が含まれている場合には、ユーザは、当該単語の切り出し指示を行う（ステップＳ２００：Ｙｅｓ）。図８は、ユーザによる単語の切り出し指示の様子を示している。ユーザは、リモコンＲＣを操作して、更新情報スペースＵＳに表示されたサイトの要約中の所望の単語（例えば「テニス」）を選択すると共に、当該単語の追加先のキーワードスペースＫＳの列（例えば「どうした」列）を選択する。ＤＴＶ１００のタイトル設定部２１６（図１）は、このようなユーザの指示に応じて、キーワードスペースＫＳにキーワードを追加表示する（図２のステップＳ２１０）。図８の例では、キーワードスペースＫＳの「どうした」列に、キーワード「テニス」が追加表示されている。
【００６３】
ステップＳ２１０（図２）において追加されたキーワードは、他のキーワードと同様に、ユーザによるキーワード選択（図３のステップＳ２２０）の対象となる。図９には、ステップＳ２１０において追加されたキーワード（「テニス」）が、ユーザにより選択された様子を示している。ユーザによりキーワードが選択されると、上述したように、選択されたキーワードがタイトル候補スペースＴＳに表示される（図３のステップＳ２３０）。図９には、選択されたキーワード（「テニス」）が、タイトル候補スペースＴＳに表示された様子を示している。
【００６４】
なお、本実施例では、キーワードスペースＫＳの各列からキーワードが１つずつ選択され、選択された３つのキーワードがキーワードスペースＫＳの列の並び順と同じ順番で並べられることによってタイトル候補が生成される（図９参照）。このとき、各キーワードを接続する言葉（助詞）が補われるとしてもよい。例えば、ＤＴＶ１００のタイトル設定部２１６は、辞書機能を含んでおり、タイトル候補生成（図３のステップＳ２３０）の際に、各キーワードを接続する助詞を補う。図９の例では、「太郎」と「テニス」との２つのキーワードの間に、助詞「の」が追加されている。
【００６５】
ユーザは、ステップＳ２３０においてタイトル候補スペースＴＳに表示されたタイトル候補の変更を希望する場合には（図３のステップＳ２４０：Ｎｏ）、再度、他のＲＳＳデータＲＤを参照して他のキーワードを表示させたり（ステップＳ１６０〜Ｓ２１０）、他のキーワードを選択したり（ステップＳ２２０）することができる。キーワードスペースＫＳにおいて他のキーワードが選択された場合には、タイトル候補スペースＴＳに、新たに選択されたキーワードにより生成されたタイトル候補が表示される（ステップＳ２３０）。
【００６６】
ユーザは、ステップＳ２３０においてタイトル候補スペースＴＳに表示されたタイトル候補を画像のタイトルとして確定させたい場合には、タイトル設定画面において「決定」ボタンを選択する（図３のステップＳ２４０：Ｙｅｓ）。このようにして画像のタイトルが確定されると、図３のステップＳ２５０以降の画像の登録に関する処理が自動的に開始される。
【００６７】
ステップＳ２５０（図３）では、ＤＴＶ１００の画像管理処理部２１０（図１）が、タイトルと日付とを示すタイトル・日付情報を生成する。タイトル・日付情報により示される日付としては、画像の撮影日でもよいし、画像管理処理を行った日（当日）でもよいし、それらの両方であってもよい。タイトル・日付情報は、ＸＭＬ形式のメタデータとして生成される。
【００６８】
ステップＳ２６０（図３）では、ＤＴＶ１００の画像管理処理部２１０（図１）が、ＤＬＮＡサーバ３００に対して画像の登録を要求する。画像管理処理部２１０による画像の登録の要求は、ネットワーク制御部２２２による制御の下、ＵＰｎＰ  ＡＶのアップロード仕様によるＳＯＡＰアクションを用いて、画像ファイルＩＦとタイトル・日付情報（ＸＭＬデータ）とをＤＬＮＡサーバ３００に対して送信することにより実現される。
【００６９】
ステップＳ２７０（図３）では、ＤＬＮＡサーバ３００の画像管理ＤＢＭＳ３２４（図１）が、画像の登録処理を行う。具体的には、ＤＴＶ１００から送信された画像ファイルＩＦを外部記憶装置３３０の所定の領域に格納すると共に、格納した画像ファイルＩＦに対し、ＸＭＬデータのタイトル・日付情報により特定された画像のタイトルと日付とを関連付けする。ステップＳ２８０（図３）では、ＤＬＮＡサーバ３００の画像管理ＤＢＭＳ３２４（図１）が、ＤＴＶ１００に対して、登録完了の通知を行う。
【００７０】
このようにしてＤＬＮＡサーバ３００に画像が登録されると、ＤＴＶ１００や他のＤＬＮＡ準拠機器は、画像を日付やタイトルを参照して検索・閲覧することが可能となる。また、ＤＬＮＡサーバ３００に登録された画像の情報は、ＷＥＢサーバ４００のブログサイトに提供することも可能である。
【００７１】
以上説明したように、本実施例のネットワークシステム１０におけるＤＴＶ１００では、画像ファイルＩＦに基づく画像の表示が行われる。また、ＤＴＶ１００では、画像ファイルＩＦから撮影日情報が取得されると共に、画像の撮影日と同じ日の更新情報（ＲＳＳデータＲＤ）がＷＥＢサーバ４００から取得される。取得された更新情報は、画像ファイルＩＦのタイトル設定に利用される。具体的には、更新情報の内のユーザにより指定された部分が、画像ファイルＩＦのタイトルの少なくとも一部として採用される。そのため、このＤＴＶ１００では、画像のタイトル設定の際の文字入力の操作を減らすことができ、画像のタイトル設定を簡便に実行することができる。
【００７２】
さらに、このＤＴＶ１００では、撮影日情報により特定される画像の撮影日を、画像のタイトルの少なくとも一部として採用することができる。そのため、このＤＴＶ１００では、画像の検索が容易となるタイトルを簡便に設定することができる。
【００７３】
さらに、このＤＴＶ１００では、ＤＴＶ１００のユーザのブログサイトの更新情報（ＲＳＳデータＲＤ）が、画像のタイトル設定に利用される。このように、画像のタイトル設定の際に、ＤＴＶ１００のユーザにより生成された情報に基づき生成された情報を参照することにより、当該参照する情報が画像のタイトル設定に利用できる単語を含む可能性を高めることができる。従って、このＤＴＶ１００では、より容易に、かつ、より適切に、画像のタイトル設定を実行することができる。
【００７４】
また、本実施例のネットワークシステム１０では、画像ファイルＩＦが、ＤＴＶ１００により設定されたタイトルと関連付られた状態で、ＤＬＮＡサーバ３００に登録される。そのため、画像の管理を容易に行うことが可能な画像データベースを構築することができる。
【００７５】
Ｂ．変形例：
なお、この発明は上記の実施例や実施形態に限られるものではなく、その要旨を逸脱しない範囲において種々の態様において実施することが可能であり、例えば次のような変形も可能である。
【００７６】
Ｂ１．変形例１：
上記実施例では、ＷＥＢサーバ４００は、ＤＴＶ１００のユーザのブログサイトを提供するサーバであるとしているが、必ずしもＷＥＢサーバ４００がそのようなサーバである必要はない。例えば、ＷＥＢサーバ４００は、新聞社のニュースサイトを提供するサーバであるとしてもよい。この場合、ＤＴＶ１００は、ＲＳＳデータＲＤとして、ニュースの要約を含む更新情報を取得することとなる。このような更新情報を画像のタイトルの設定に利用することにより、例えば、画像が当該ニュースと直接関係した内容である場合には、適切なタイトル設定を行うことができる。また、画像が当該ニュースとは関係の無い内容である場合にも、画像の撮影日にどのような出来事があったかを示すタイトルを設定することができる。
【００７７】
Ｂ２．変形例２：
上記実施例では、更新情報スペースＵＳ（図８）に表示された更新情報から切り出した単語を、一旦、キーワードスペースＫＳにキーワードとして追加し、その後、タイトルの候補として利用しているが、更新情報から切り出した単語を、キーワードスペースＫＳにキーワードとして追加することなく、直接にタイトルの候補として利用するとしてもよい。
【００７８】
Ｂ３．変形例３：
上記実施例では、１つの画像のタイトル設定を行う毎に、ＤＬＮＡサーバ３００への画像の登録を行っているが、複数の画像のタイトル設定を行い、その後、まとめてＤＬＮＡサーバ３００への登録を行うとしてもよい。
【００７９】
Ｂ４．変形例４：
上記実施例におけるネットワークシステム１０の構成は、あくまで一例であり、ネットワークシステム１０を他の構成とすることも可能である。例えば、ネットワークシステム１０が、ＤＴＶ１００の代わりに、他の画像表示装置（例えばフォトビューワ）を備えるとしてもよい。
【００８０】
また、ＤＴＶ１００が、内部に画像を格納するための記憶領域を備えるとしてもよい。このような場合には、画像のタイトル設定の後に、ＤＬＮＡサーバ３００の代わりに、ＤＴＶ１００内部の当該記憶領域に画像を登録するとしてもよい。
【００８１】
また、上記実施例におけるネットワークシステム１０において、使用されるネットワークやデータ等の仕様およびプロトコルは、あくまで一例であり、他の仕様やプロトコルが使用されるとしても良い。
【００８２】
また、上記実施例において、ハードウェアによって実現されていた構成の一部をソフトウェアに置き換えるようにしてもよく、逆に、ソフトウェアによって実現されていた構成の一部をハードウェアに置き換えるようにしてもよい。
【図面の簡単な説明】
【００８３】
【図１】本発明の実施例としてのデジタルテレビ１００を含むネットワークシステム１０の構成を概略的に示す説明図である。
【図２】本実施例のネットワークシステム１０における画像管理処理の流れを示すフローチャートである。
【図３】本実施例のネットワークシステム１０における画像管理処理の流れを示すフローチャートである。
【図４】表示部１２０に表示された画像表示画面の一例を示す説明図である。
【図５】タイトル設定画面の一例を示す説明図である。
【図６】タイトル設定画面の一例を示す説明図である。
【図７】タイトル設定画面の一例を示す説明図である。
【図８】タイトル設定画面の一例を示す説明図である。
【図９】タイトル設定画面の一例を示す説明図である。
【符号の説明】
【００８４】
１０…ネットワークシステム
１００…デジタルテレビ
１１０…ＣＰＵ
１２０…表示部
１３０…カードインターフェイス
１３２…カードスロット
１４０…ネットワークインターフェイス
１５０…指示入力部
１６０…内部メモリ
２１０…画像管理処理部
２１２…画像表示処理部
２１４…属性情報読み出し部
２１６…タイトル設定部
２２２…ネットワーク制御部
３００…ＤＬＮＡサーバ
３１０…ＣＰＵ
３２０…内部メモリ
３２２…ネットワーク制御部
３２４…画像管理ＤＢＭＳ
３３０…外部記憶装置
３４０…ネットワークインターフェイス
４００…ＷＥＢサーバ
４１０…ＣＰＵ
４２０…内部メモリ
４２２…ネットワーク制御部
４２４…サイト管理部
４３０…外部記憶装置
４４０…ネットワークインターフェイス
【図１】
2007251706.tif 000003
【図２】
2007251706.tif 000004
【図３】
2007251706.tif 000005
【図４】
2007251706.tif 000006
【図５】
2007251706.tif 000007
【図６】
2007251706.tif 000008
【図７】
2007251706.tif 000009
【図８】
2007251706.tif 000010
【図９】
2007251706.tif 000011